(57)【要約】 【課題】 本発明は、練習者が円弧ないし楕円弧状スイング軌道を効果的に習得し、トップスピンショットを容易に打つことができるようにするためのテニス練習用具を提供することを課題とする。【解決手段】 本発明は、テニスラケット打球面の片面に装着して、ラケットスイングを練習するためのテニス練習用具で、前記テニスラケット打球面の片面を覆い、テニスラケット打球面と反対側に凸となる袋状体と、前記袋状体の周辺部に前記袋状体をラケット打球面に固定するための固定具とを備え、前記袋状体は、テニスラケットと反対側に凸の皿状に予め成形されるか、またはテニスラケット打球面側から空気抵抗を受けると、テニスラケット打球面と反対側に凸の皿状に膨らむことを特徴とする、前記テニス練習用具を提供する。【選択図】図１
2013233193.tif 000002
【特許請求の範囲】
【請求項１】
テニスラケット打球面の片面に装着して、ラケットスイングを練習するためのテニス練習用具であって、
前記テニスラケット打球面の一方の片面を覆う凸状の袋状体と、
前記袋状体の周辺部に、前記袋状体をラケット打球面に固定するための固定具とを備えたことを特徴とするテニス練習用具。
【請求項２】
前記凸状の袋状体は、皿状に成形されたことを特徴とする請求項１記載のテニス練習用具。
【請求項３】
前記凸状の袋状体は、前記テニスラケット打球面側から空気抵抗を受けると、前記テニスラケット打球面の反対側に皿状に膨らむことを可能とした請求項１記載のテニス練習用具。
【請求項４】
前記凸状の袋状体の開口縁部に線条体挿通部が形成され、且つ線条体が挿入されていることを特徴とする請求項３記載のテニス練習用具。
【請求項５】
前記固定具は、フックと弾性体とを備えたことを特徴とする請求項１乃至４記載のいずれか一つのテニス練習用具。
【発明の詳細な説明】
【技術分野】
【０００１】
本発明は、テニス練習用具に関し、さらに詳しくはテニスラケット打球面に装着して、スイングを練習するためのテニス練習用具に関する。
【背景技術】
【０００２】
テニスのラケットショットでは、伝統的には、テニスラケットを水平方向にスイングする、いわゆるレベルスイングによるフラットショットが主流であった。しかし、レベルスイングによるフラットショットは、ボールに回転をかけることが難しいことから、相手方コート内に確実に返球することは必ずしも容易ではない。すなわち、ボールを強く打ちすぎると相手方のコートをオーバーし、逆に弱すぎるとボールはネットを超えずにネットにかかることとなる。近年のラケット反発力の向上に伴い、ラケットスイングにおいて下方から上方へ擦り上げる運動も取り入れた, 順回転のスピンをかけるトップスピン系のショットである、ワイパースイングによるワイパーショット、あるいはトップスピンショットと呼ばれるドライブショットの順スピンのスピン量をさらに増やしたショットが主流になっている。
【０００３】
トップスピンショットによれば、ボールは飛球時に、飛行方向の前進と順回転によるボール周りの空気の流れの作用で、重力に加えてさらに大きな鉛直下向きの落下力を受け、強く打っても相手方のコート内に確実に入り、かつ、強力なエネルギーを伴うボールはバウンド後、相手方コート内で高く跳ね上がる。よって、トップスピンショットによれば、相手方にとって返球しづらい、攻撃的なボールを打つことが可能となる。
【０００４】
理想的なトップスピンショットを打つためのスイングは、打球者の体側斜め下方から斜め上方へ振り上げた後、逆の体側に巻きつけられるようにして行われる。この際のラケット打球面は円弧又は楕円弧を描く軌道であると考えられる。すなわち、体側下方から振り出されたラケットは打球点近傍でラケットを保持する手首の掌が下方向に向けられるとともに、体の正面を過ぎて、逆の体側に巻きつけられるようにして振られることによりこのスイングが完成する。この時のラケットの軌道は円弧ないし楕円弧状のスイング軌道となる。円弧ないし楕円弧状のスイング軌道上でラケットがスイングされれば、低いボールはネットにかけることなく返球することが可能であり、高いボールも相手方コート内に確実に返球することが可能である。
【０００５】
従来より、トップスピンショットを打つためのスイングを練習するためのテニス練習用具として提案されているものは少なく、手首を固定してひじとラケットの角度を一定に保つように固定具、又は帯状物で固定するようなものが提案されている（例えば特許文献1）が、確実有効なものとはいえない。また、別な用具としてはラケット自体を重くしたり、ラケット面に板状物又は板状の重量物を張り付けたりする器具（例えば特許文献２）、あるいは棒状のスイング練習器やスイングが適正であれば吹鳴する笛状のものなどが開示されている（例えば特許文献３）。
【先行技術文献】
【特許文献】
【０００６】
【特許文献１】特開2001-310005号公報
【特許文献２】特開2004-329350号公報
【特許文献３】登録実用新案3155382号公報
【発明の概要】
【発明が解決しようとする課題】
【０００７】
従来提案されているものは殆どのものが重りを利用し、スイング力を高めるために活用されているもので、初心者が使用すると手首、肘、肩等に大きな負担がかかり、正しいスイング習得には有効とはいえない。かかる器具は、実際に試合等で使用されない錘を有するものが殆どであるから、その重量により使用者のフィーリングを損ね、練習効果に影響があるだけでなく、使用者の手首、ひじ、肩等に負担がかかる可能性がある。
【０００８】
加えて、錘はラケットの運動とは無関係に重力により鉛直下向きの力を常に発生させる（すなわち、ラケットが停止していても、スイング中であっても、常に同じ重力により鉛直下向きの力を発生し続ける）ことから、斜め上方への直線状スイング軌道はできるものの、円弧ないし楕円弧状スイング軌道のスイングを習得することは困難である。打球者がこのような所謂ワイパーショット又はトップスピンショットに求められる、円弧ないし楕円弧状スイング軌道を効果的に習得するためのテニス練習用具は未だ知られていない。
【０００９】
本発明は、上記従来の問題点を解決するために練習者が円弧ないし楕円弧状スイング軌道を効果的に習得し、トップスピンショットを容易に打つことができるようにするためのテニス練習用具を提供することにある。
【課題を解決するための手段】
【００１０】
本発明は、上記の課題を解決するために、次のような技術的手段を採る。
その第１は、テニスラケット打球面の片面に装着して、ラケットスイングを練習するためのテニス練習用具であって、前記テニスラケット打球面の一方の片面を覆う凸状の袋状体と、前記袋状体の周辺部に、前記袋状体をラケット打球面に固定するための固定具とを備えたことを特徴とする。
【００１１】
また、第２の手段として、前記凸状の袋状体は、皿状に成形されたことを特徴とする。
【００１２】
また、第３の手段として、前記凸状の袋状体は、前記テニスラケット打球面側から空気抵抗を受けると、前記テニスラケット打球面の反対側に皿状に膨らむことを可能としたことを特徴としている。
【００１３】
また、第４の手段として、前記凸状の袋状体の開口縁部に線条体挿通部が形成されていることを特徴とする。
【００１４】
また、第５の手段として、前記固定具は、フックと弾性体とを備えたことを特徴とする  
【発明の効果】
【００１５】
まず本願発明によれば、本発明の練習用具を取り付けてラケットをスイングする打球者は、袋状体がスイングする時に空気の抵抗を受け、凸の皿状に膨らむので、ラケットに空気の抵抗を受けるとともに、航空機の翼のごとくラケットの打球面の反対側、すなわち凸側に揚力を受ける。スイングする力、空気抵抗及び揚力は、ラケットに上方への力（浮揚力）を生じる。打球者はこの力に抗してラケットを押さえ込んで、斜め上方に振りぬこうとする反作用の力が生じる。このような力のバランスにより、打球者は大きな円弧又は楕円弧のスイング軌道を描くトップスピンショットのスイングを習得することができる。
【００１６】
また、本願発明によれば、前記袋状体の開口縁部に線条体挿通部が形成され、且つ線条体が挿入されており、巾着状に絞ることができるのでラケットの大きさに形状を調節することができ、且つラケット面に均一に被せることができる。
【００１７】
また、本願発明によれば、袋状体の固定具はフックと弾性体で構成されているのでラケットのストリングやフック同士に簡単に引っ掛けて固定でき、弾性体で構成されているので、ラケット面にしっかりと密着固定できる。
【００１８】
本発明は風力を利用し、空気抵抗と揚力によるラケット浮揚感を高め、より効果的にトップスピンショットを会得できるので従来のように重りを使ったものでないので、体への負担が小さく、初心者や、非力な女性、幼児にも利用できる。
【図面の簡単な説明】
【００１９】
【図１】本発明のテニス練習用具の正面図を示す。
【図２】本発明のテニス練習用具の側面図を示す。
【図３】本発明のテニス練習用具が使用時、空気抵抗を受けて凸状に膨らんでいる状態図を模式的に示す。
【図４】本発明のテニス練習用具をラケット打球面へ取り付ける概略図を示す。
【図５】本発明の練習用具を装着してスイングした時の空力の概念図を模式的に示す。
【図６】比較として従来の錘状物をラケットに装着した場合の力学概念図を模式的に示す。
【図７】本発明のテニス練習用具の実物写真である。
【発明を実施するための形態】
【００２０】
まず、本発明のラケット練習用具の形状および構造を説明する。図１は、本発明のテニス練習用具１の正面図であり、図２は側面図である。
【００２１】
図１を参照すると、本発明のテニス練習用具１をテニスラケット打球面の片面に装着して、ラケットスイングを練習するためのテニス練習用具１は、テニスラケット打球面の片面を覆うことが可能であり、テニスラケット打球面に対応する平面形状および大きさを有し、テニスラケット打球面と反対側に凸となる袋状体２と、前記袋状体２の周辺部に、前記袋状体２をラケット打球面に固定するために袋状体２の周辺部に通路４を設け、そこに線条体５を配置し、さらに固定具３を備える。
【００２２】
図２の側面図では袋状体２が凸に膨らむ前の形状を示し、線条体５及び線条体５の通路４と固定具３を示している。
【００２３】
図３は、本発明のテニス練習用具１が空気抵抗６を受けた場合に、テニスラケットと反対側に凸の皿状に膨らむ状態を示している。
【００２４】
袋状体２は、テニスラケットと反対側に凸の皿状に予め成形されるか、またはテニスラケット打球面側から空気抵抗６を受けると、テニスラケットと反対側に凸の皿状に膨らむことが可能である限り、特に制限はない。ここにいう「凸の皿状」は袋状体２の平面外形を楕円形と考えた場合の短直径の例えば１０〜５０％、好ましくは２０〜４０％の深さを有することを意味する。この数値が小さすぎると空気抵抗６を十分に受けることができず、かつ、後述する揚力１２を十分に発生させることができない。一方これが大きすぎると、空気抵抗６は十分であるが、揚力１２が減少し、好ましくない。
袋状体２の平面面積は、テニスラケット打球面８の面積よりやや小さい、ないし僅かに大きめの面積が好ましい。より具体的には、好ましくは０．８〜１．２倍、より好ましくは０．９〜１．１倍である。この面積が小さすぎると、袋状体２が十分な空気抵抗６を受けることができず、本発明の効果を達成することができない。本発明のスイング練習にスイングが困難となり、またラケット打球面８に固定することが困難となる。
【００２５】
また、袋状体２の平面面積をテニスラケット打球面８の面積と同じないし僅かに大きめの面積とすることで、袋状体２の周辺部をラケット打球面のフレームの内側に重ねて装着すること、あるいはフレームに被せて装着することができる。より具体的には、好ましくは１．０〜１．３倍、より好ましくは１．０〜１．２倍である。
【００２６】
このような袋状体２は、テニスラケット打球面８に対応する平面形状を有し、それより大きい大きさを有する柔軟なシートの周辺部に通路４を設け、そこに線条体５を配置し、巾着状に絞ることで構成することができる。ここにいうテニスラケット打球面８に対応する平面形状とは、ラケット打球面の平面形状と同じまたは相似形であり、この場合、目的に応じて若干の変形、ゆがみは許容される。
【００２７】
袋状体２の周辺部に通路４を設け、そこに線条体５を配置し、巾着状に絞ることで構成された袋状体は、巾着状に絞る程度を調節することで、袋状体２の平面形状および大きさを調節して、使用者の使用するラケット打球面８の形状および大きさに適合させることが可能となる点で有利である。この態様では、シートの平面形状および大きさは、ラケット打球面の平面形状と同じまたは相似形であり、大きさ（面積）は、好ましくは１．１〜２．０倍、より好ましくは１．２〜１．８倍である。この面積が小さすぎると、空気抵抗６を受けたときに十分に、テニスラケットと反対側に凸の皿状に膨らむことができない。大きすぎると、膨らみすぎて、皿状の形状が深くなりすぎ、十分な揚力を得ることが困難となる。
【００２８】
袋状体２の材料は、柔軟性の観点から布帛、樹脂フィルム、樹脂成型品  などが挙げられ、柔軟性があり、空気抵抗を受けてもばたつかずに静寂であり、質感の点で布帛が好ましい。
【００２９】
本発明のテニス練習用具１は、袋状体２の周辺部に、前記袋状体をラケット打球面に固定するための固定具３を有する。固定具３は、袋状体を、ラケット周辺部に固定することができれば特に制限はなく、例えば、フック、粘着テープ、マジックテープ（登録商標）等が挙げられる。テニスラケットの打球面のストリングス９，１０に引っ掛けて、袋状体をテニスラケット打球面８に固定できる点、あるいは固定具３同士を固定できるので、フックが好ましく、種々のラケット打球面の大きさ、またはストリングスの配置パターンにフレキシブルに対応するためには、フックと袋状体の間に弾性体、例えばゴムひもを介在させることが望ましい。固定具３は、袋状体２を、ラケット打球面８に安定に固定するためには、3個以上有することが好ましく、より好ましくは4個である。
【００３０】
また、本発明のテニス練習用具１の周辺部に配置する線条体５についてはラケット打球面８に重ね合わせて取り付けることと、空気の抵抗６受けても変形し難いという性質の上から、適度な硬度を持ったものが望ましい。例えばプラスチックの棒状物又は針金、特にステンレス線あるいはピアノ線などが好適である。
【００３１】
次に、本発明のテニス練習用具１の使用法を説明する。図４を参照すると、まずテニスラケット７を用意し、本発明のテニス練習用具１の袋状体２を、ラケット打球面８に直面させる。
【００３２】
ついで、固定具３により、本発明のテニス練習用具１を、テニスラケット打球面８に安定に固定する。袋状体２の周辺部を、テニスラケット打球面の周辺部のフレームに安定に固定するために、図４の点線矢印に示したように、付属の固定具３をストリング９，１０で形成される格子目に通し、固定具３同士又はストリングに固定する。練習者は本発明のテニス練習用具１を装着したテニスラケットを、本発明のテニス練習用具１が打球面と反対側となる方向、すなわち外側に向けてスイングする。
【００３３】
次に、本発明の練習用具１をラケット面に取り付け、斜め上方にスイングした際のスイング方向と力、空気抵抗及び揚力の関係を説明する。
【００３４】
図５を参照すると、斜め上方にスイング１１すると、ラケット打球面８を通して、本発明のテニス練習用具１の袋状体２に空気抵抗６がもたらされ、袋状体は、ラケット打球面８と反対側に凸に膨らむ。袋状体２は、テニスラケット打球面８と反対側凸の皿状となることで、図６に示すような従来の錘付加方式では受けることのできない空気抵抗６を十分受けることができる。すなわち、空気抵抗のラケット打球面８に垂直成分が袋状体２を膨らませるよう作用する。膨らまされた袋状体に沿って、空気抵抗のラケット打球面８に平行成分が通過し、これが航空機の翼における事象と同様に作用して、袋状体に、ラケット打球面８とは反対方向に揚力１２を発生させる。
【００３５】
本発明の特徴は、図の力の分解図に模式的に示すごとく、スイング力１１と揚力１２の合力である鉛直上方成分１３の力が生まれ、従来品とは大きな違いを生じる。すなわち本発明品装着ラケット７ではこの揚力１２による力と、空気抵抗６を差し引いたスイング力１１の合力の鉛直上方成分１３が、ラケットスイング時にラケット浮揚感を高める。すなわち、ラケットスイング時にラケット７が空中上方に放り出されるような、浮き上がる感覚を感じることができる。この浮揚感は、特にワイパーショットやトップスピンショットを打球する時に必要な要素で、打球者は打球面と反対方向に作用する空気抵抗６と揚力１２による力を、スイング開始時と反対側の体側にラケット７を巻きつけようとする時に、反作用の力で打球面側下方に力を作用させるので、スイングを自然に正しい方向の軌道に導くのである。このようにして振られるラケット７は、大きな円弧又は楕円弧のスイング軌道を描いて振られることになるので、本発明品を装着してスイング練習することにより、練習者は回転数の大きな順回転のかかった、スピンショットを打球することができるようになる。
【００３６】
図６に示す、従来のラケット打球面８のストリングスにシートまたは固体状の重量物（錘）１４を単に取り付けた場合では、重力による鉛直下方成分の力１５しか生じず、斜め上方にスイングされたラケット７はその方向よりも下側に合力１６として作用するので、上述のラケット浮揚感はなく、単に重たいラケット７をスイングするだけの力となり、斜め上方に振り上げ、ボールを強くこすってボールに大きな順回転のトップスピンを与える正しいスイング軌道を会得することができない。大きな円弧又は楕円弧のスイング軌道でワイパースイングやトップスピンショットを打つためのスイングを得ることが困難である。
【産業上の利用可能性】
【００３７】
本発明は、テニスラケット打球面に装着して、スイングを練習するためのテニス練習用具を提供する。
【符号の説明】
【００３８】
1  テニス練習用具
2  袋状体
3  固定具
４  通路
５  線条体
６  空気抵抗
７  ラケット
８  ラケット打球面
９  ストリング（縦）
１０  ストリング（横）
１１  ラケットスイング方向と力の大きさ
１２  スイングによる空気抵抗で生じる揚力の向きと大きさ
１３  スイングと揚力の鉛直上方の力
１４  錘状物
１５  錘の鉛直下方の力
１６  スイングと錘状物の合力の向きと大きさ
イ  本発明の練習用具写真
ロ  ラケット面に載せ、大きさを調整した写真
ハ  ラケットのストリングの格子目に固定具を通した写真
ニ  固定具同士をフックで固定し、ラケットに取り付けた写真
ホ  練習用具をラケットに取り付けた完成写真
【図１】
2013233193.tif 000003
【図２】
2013233193.tif 000004
【図３】
2013233193.tif 000005
【図４】
2013233193.tif 000006
【図５】
2013233193.tif 000007
【図６】
2013233193.tif 000008
【図７】
2013233193.tif 000009